(57)【要約】      （修正有）【解決課題】テープライト部材への配線を効率よく取り付けられるフレーム部材とそれを用いた装飾体を提供する。【解決手段】フレーム部材１０が、一端部１１と、一端部１１と隙間１２を空けて端が向かい合う他端部１３と、一端部１１と他端部１３との間で輪郭形状の一部又は全部をなす本体部１４と、本体部１４と逆側で一端部１１に対して交差する方向に沿って延びる第一の脚部１５と、本体部１４と逆側で他端部１３に対して交差する方向で第一の脚部１５の延びる方向に沿って延びる第二の脚部１６と、第一の脚部１５の中間部と第二の脚部１６の中間部とを連結し、配線を通すための貫通穴１９ｂを有する連結部１７と、連結部１７において本体部１４側に第一の脚部１５及び第二の脚部１６の延びる方向に沿って延びる台部１８と、を備える。【選択図】図３
0003222285.tif 000002
【実用新案登録請求の範囲】
【請求項１】
一端部と、
前記一端部と隙間を空けて向かい合う他端部と、
前記一端部と前記他端部との間で輪郭形状の一部又は全部をなす本体部と、
前記本体部と逆側で前記一端部に対して交差する方向に沿って延びる第一の脚部と、
前記本体部と逆側で前記他端部に対して交差する方向で前記第一の脚部の延びる方向に沿って延びる第二の脚部と、
前記第一の脚部の中間部と前記第二の脚部の中間部とを連結し、配線を通すための貫通穴を有する連結部と、
前記連結部において前記本体部側に前記第一の脚部及び前記第二の脚部の延びる方向に沿って延びる台部と、
を備える、フレーム部材。
【請求項２】
請求項１に記載のフレーム部材と、
前記フレーム部材の前記一端部、前記本体部及び前記他端部に沿って取り付けられたテープライト部材と、
を備え、
前記テープライト部材の一端部が、前記フレーム部材の前記一端部と前記台部に取り付けられており、
前記テープライト部材の他端部が、前記フレーム部材の前記他端部に取り付けられており、
前記テープライト部材への配線が、前記隙間から前記貫通穴に通されている、装飾体。
【請求項３】
さらに、前記フレーム部材を支持する支持台を備え、
前記支持台が、前記第一の脚部を挟む第一の凹み部と、前記第二の脚部を挟む第二の凹み部とを備える、請求項２に記載の装飾体。
【考案の詳細な説明】
【技術分野】
【０００１】
本考案は、広告や看板などの各種媒体として好適な人の目を引く装飾体とそれに用いられるフレーム部材に関する。
【背景技術】
【０００２】
事業を営む企業や個人事業主は、店舗名、商品名又はサービス名を付した看板を店舗前になどに設置し、顧客を店舗内に誘導している。看板などの装飾体として、特許文献１では、インフォメーションが付された表示部と、表示部の前方又は後方に突出して設けられ、内周面を有するベース部と、ベース部の内周面に取り付けられたＬＥＤライトと、ＬＥＤライトよりも表示部の中心寄りに内周縁を有し、ベース部又は表示部よりも前面側に取り付けられた枠部と、を備えて構成している。
【先行技術文献】
【特許文献】
【０００３】
【特許文献１】実用新案登録第３２０６４６２号公報
【考案の概要】
【考案が解決しようとする課題】
【０００４】
特許文献１では、ベース部が無端形状を有するため、複数のＬＥＤを並べてテープ状となっているテープライト部材をベース部に取り付けても、テープライト部材への配線を効率よく設けることが難しい。
【０００５】
そこで、本考案では、テープライト部材への配線を効率よく取り付けられるフレーム部材とそれを用いた装飾体を提供することを目的とする。
【課題を解決するための手段】
【０００６】
本考案のコンセプトは次の通りである。
［１］  一端部と、
前記一端部と隙間を空けて向かい合う他端部と、
前記一端部と前記他端部との間で輪郭形状の一部又は全部をなす本体部と、
前記本体部と逆側で前記一端部に対して交差する方向に沿って延びる第一の脚部と、
前記本体部と逆側で前記他端部に対して交差する方向で前記第一の脚部の延びる方向に沿って延びる第二の脚部と、
前記第一の脚部の中間部と前記第二の脚部の中間部とを連結し、配線を通すための貫通穴を有する連結部と、
前記連結部において前記本体部側に前記第一の脚部及び前記第二の脚部の延びる方向に沿って延びる台部と、
を備える、フレーム部材。
［２］  前記［１］に記載のフレーム部材と、
前記フレーム部材の前記一端部、前記本体部及び前記他端部に沿って取り付けられたテープライト部材と、
を備え、
前記テープライト部材の一端部が、前記フレーム部材の前記一端部と前記台部に取り付けられており、
前記テープライト部材の他端部が、前記フレーム部材の前記他端部に取り付けられており、
前記テープライト部材への配線が、前記隙間から前記貫通穴に通されている、装飾体。
［３］  さらに、前記フレーム部材を支持する支持台を備え、
前記支持台が、前記第一の脚部を挟む第一の凹み部と、前記第二の脚部を挟む第二の凹み部とを備える、前記［２］に記載の装飾体。
【考案の効果】
【０００７】
本考案によれば、テープライト部材への配線を効率よく取り付けられる。
【図面の簡単な説明】
【０００８】
【図１】本考案の実施形態に係る装飾体の正面図である。
【図２】図１のＩＩ−ＩＩ線に沿う断面図である。
【図３】図１に示すフレーム部材の正面図である。
【図４】図１に示す支持台の平面図である。
【図５】図１に示すフレーム部材と支持台との接続、テープライト部材への配線を模式的に示す斜視図である。
【図６】図２のＶＩ−ＶＩ線に沿う断面図である。
【考案を実施するための形態】
【０００９】
以下、図面を参照しながら本考案の実施形態を説明する。図１は本考案の実施形態に係る装飾体の正面図であり、図２は図１のＩＩ−ＩＩ線に沿う断面図である。
【００１０】
本考案の実施形態に係る装飾体１は、図１に示すように、装飾本体部２と、装飾本体部２を取り付けられる取付部３とを備え、装飾本体部２は取付部３にマグネット４，５で接続されかつ通電可能に構成されている。
【００１１】
装飾本体部２は、図２に示すように、中空のフレーム部材１０と、フレーム部材１０の一方の面に取り付けられた第一のプレート部材２１と、フレーム部材１０の他方の面に取り付けられ第一のプレート部材２１とフレーム部材１０を挟んで対向する第二のプレート部材２２と、フレーム部材１０を支持する支持台２３と、支持台２３の底面に取り付けられる基板２４と、フレーム部材１０の内周面に取り付けられるテープライト部材２５とを備える。
【００１２】
本考案に係る実施形態では、図３に示すように、フレーム部材１０は、水平に延びる一端部１１と、一端部１１と隙間１２を空けて端が向かい合い水平に延びる他端部１３と、一端部１１と他端部１３との間で輪郭形状の一部又は全部をなす本体部１４と、本体部１４と逆側で一端部１１に対して交差する方向に沿って延びる第一の脚部１５と、本体部１４と逆側で他端部１３に対して交差する方向で前記第一の脚部の延びる方向に沿って延びる第二の脚部１６と、第一の脚部１５の中間部と第二の脚部１６の中間部とで水平に延びて連結し、配線２６を通すための貫通穴１９ｂを有する連結部１７と、連結部１７において本体部１４側に第一の脚部１５及び第二の脚部１６の延びる方向に沿って延びる台部１８と、を備える。図示するように、貫通穴１９ｂは、その一部が第二の脚部１６にも設けられている。
【００１３】
このようなフレーム部材１０によれば、一端部１１、本体部１４及び他端部１３に沿ってその内側にテープライト部材２５を取り付けることが可能となり、図５に示されるように、テープライト部材２５の一端部２５ａをフレーム部材１０の一端部１１に取り付け、テープライト部材２５の他端部２５ｂをフレーム部材１０の他端部１３に取り付けることができる。配線２６の一端２６ａ，他端２６ｂがテープライト部材２５の他端部２５ｂに半田付けで取り付けられる。フレーム部材１０の内周面に取り付けたテープライト部材２５への配線２６が、隙間１２を経由して貫通穴１９ｂに通る。
【００１４】
このように、隙間１２が一端部１１と他端部１３との間に設けられているため、フレーム部材１０の一端部１１、本体部１４及び他端部１３の内周面に、テープライト部材２５を取り付けても、隙間１２を経由してテープライト部材２５への配線２６を容易に設けることができる。フレーム部材１０が例えば１０ｍｍ乃至１５ｍｍの任意の幅を有する肉薄であり、テープライト部材２５の幅がフレーム部材１０の幅と同一又はほぼ同程度である場合、フレーム部材１０の一方の面には第一のプレート部材２１が取り付けられ、他方の面には第二のプレート部材２２が取り付けられるため、フレーム部材１０の厚み方向には配線を通す領域を持たせることができないような形態においては特に有効である。
【００１５】
本考案の実施形態では、台部１８が、連結部１７から本体部１４側に第一の脚部１５及び第二の脚部１６の延びる方向に沿って延びて立設している。フレーム部材１０の一端部１１に取り付けられているテープライト部材２５の一端部２５ａが、一端部１１から台部１８に架けて渡されている。テープライト部材２５の照明光をより多くフレーム部材１０の内側中心部に向けて照らすことができ、第一のプレート部材２１及び第二のプレート部材２２に付着している文字、図形、記号などの標識を効率的に示すことができる。
【００１６】
台部１８の頂部は、一端部１１及び他端部１３が水平に延びる高さに達していないことが好ましい。配線２６がテープライト部材２５の一端部２５ａに取り付けられ、配線２６が貫通穴１９ｂに通る。配線２６を貫通穴１９ｂへ効率的に導くことができる。また、フレーム部材１０の本体部１４の形状によっては、台部１８の頂部は一端部１１及び他端部１３が水平に延びる高さに達していることが好ましい。テープライト部材２５により一様に照明することができるからである。
【００１７】
フレーム部材１０の一端部１１は、第一の脚部１５よりも台部１８側に水平に突出しており、他端部１３は、第二の脚部１６よりも台部１８側に水平に突出している。フレーム部材１０の一端部１１から本体部１４を経由して他端部１３にわたってこれらの内周面に、テープライト部材２５が取り付けられる。これらの突出により、テープライト部材２５を配設する長さをより長くすることができる。
【００１８】
連結部１７は、第一の脚部１５の中間部と第二の脚部１６の中間部を水平に接続している。連結部１７の下面は、支持台２３の高さと同じ高さが好ましい。これは、図５に示すように、第一の脚部１５の下部が支持台２３の第一の凹み部２３ａに、第二の脚部１６の下部が第二の凹み部２３ｂに挟まれるためである。
【００１９】
連結部１７は、貫通穴１9ａ，１９ｂを有する。図示する形態では、貫通穴１９ａは、第一の脚部１５と台部１８との間、第二の脚部１６と台部１８との間の何れにも設けられている。貫通穴１９ａは支持台２３の貫通穴２３ｄと連通するように構成され、ボルト２０ａを支持台２３側から挿入してナット２０ｂにより締め付けられ、ボルト２０aが支持台２３の底面から突出しないようにして、連結部１７を支持台２３に固定する。貫通穴１９ｂは、配線２６を通すために用いられる。
【００２０】
フレーム部材１０は、テープライト部材の幅と等しい幅、又はそれよりわずかに長い幅であればよい。フレーム部材１０は、材質を問わないが、例えば、塩化ビニールの発泡材を採用することができる。加工が容易で、フレーム部材１０が肉薄でも頑丈である。
【００２１】
第一のプレート部材２１、第二のプレート部材２２にはそれぞれ、文字、図形、記号などの情報を有しており、第一のプレート部材２１、第二のプレート部材２２の厚み方向に対して凹凸形状を有していても良い。第一のプレート部材２１及び第二のプレート部材２２は、何れも、正面視、背面視で、フレーム部材１０の一端部１１、本体部１４及び他端部１３で構成される輪郭形状と略同一の形状を有している。
【００２２】
第一のプレート部材２１及び第二のプレート部材２２は、何れも、フレーム部材１０の厚みよりも小さく、数ｍｍ、例えば２ｍｍ〜３ｍｍの厚みを有しており、アクリルなどの透光性素材からなる。そのため、テープライト部材２５の複数のＬＥＤデバイスから生じる光が集合することにより、所望の灯を表現することができる。
【００２３】
テープライト部材２５は、複数のＬＥＤデバイスが間隔をおいて基材に設けられ、内部配線により接続されて構成されている。そのため、テープライト部材２５の他端部２５ｂには配線２６の一端２６ａ，他端２６ｂが取り付けられる。
【００２４】
支持台２３は、フレーム部材１０の一端部１１及び他端部１３の水平方向に沿って、図４に示すように、第一の凹み部２３ａと第二の凹み部２３ｂとが対向するように設けられる。第一の凹み部２３ａが第一の脚部１５の下部を挟み込み、第二の凹み部２３ｂが第二の脚部１６の下部を挟み込まれる。支持台２３は、第一のプレート部材２１及び第二のプレート部材２２を取り付けたフレーム部材１０を建立する。
【００２５】
図示するように、第一の凹み部２３ａ及び第二の凹み部２３ｂは、厚み方向に寸法が均一である。また、図示を省略するが、第一の脚部１５、第二の脚部１６の何れの下部も下側の厚みが小さくなる一方、これに対応して、第一の凹み部２３ａ、第二の凹み部２３ｂは下側の寸法が小さくなり、第一の脚部１５と第一の凹み部２３ａとが噛み合わせし易くし、第二の脚部１６と第二の凹み部２３ｂが噛み合わせし易くすることができる。
【００２６】
支持台２３は、図４に示すように、四隅の角部に貫通穴２３ｃがそれぞれ設けられ、その他、複数の貫通穴２３ｄが設けられる。貫通穴２３ｃは、基板２４へのマグネット４の取付用のボルトやナットの一部が配置される。他方、貫通穴２３ｄは、貫通穴２３ｄより径が小さく、基板２６の取り付け穴などの作業穴として用いられる。
【００２７】
基板２４が支持台２３の底面に取り付けられる。基板２４は、４本の配線２６の端部を固定する部位２４ａと、マグネット４をボルト２７ａ及びナット２７ｂなどの取付部材２７の固定部位と、これらの間を通電する内部配線２４ｂとしてのプリント配線と、を備える。よって、テープライト部材２５に、配線２６を経由して給電することができる。基板２４には、電圧を調整するための素子としての抵抗などが取り付けられる。
【００２８】
基板２４には、例えば四隅の近傍に、貫通穴が設けられ、内部配線としてのプリント配線の端部がナット２７ｂに接触して取り付けられ、基板２４の底面には、厚みの薄い円形状のマグネット４が取り付けられ、取付部３のマグネット５と、マグネット４、５による磁力により取り付け可能となっている。このマグネット４，５は、基板２４の内部配線２４ｂと外部への配線との電気的接続を行い、基板２４の内部配線２４ｂとマグネット４、マグネット４とマグネット５、マグネット５と外部への配線２９とのそれぞれにおいて通電する。
【００２９】
取付部３には、マグネット４に対応する四つの位置にマグネット５がそれぞれ設けられ、マグネット４を取付部３に取り付けるボルト２８ａ及びナット２８ｂなどの取付部材２８に、外部からの配線２９の一端が取り付けられる。マグネット４，５は、円筒形状であり、ボルト２７ａ，２８aの頭部を収容することができ、マグネット４，５からボルト２７ａ，２８ａの頭部が露出しない形状を有している。そのため、マグネット４，５を取付部材２７，２８で固定しても、マグネット４、マグネット５の向かい合う面を異極とすることによりマグネット４とマグネット５を密着することができる。マグネット４、５には、通電可能な磁石、例えば、ネオジウム磁石を用いることができる。
【００３０】
本考案の実施形態では、フレーム部材１０の一端部１１、本体部１４及び他端部１３に沿ってその内側にテープライト部材２５を取り付けることが可能となり、一端部１１と他端部１３との間の隙間１２により、テープライト部材２５の他端部２５ｂへの配線２６の一端２６ａ，他端２６ｂが、半田付けで取り付けられ、配線２６が隙間１２を経由して連結部１７の貫通穴１９ｂに通すことができる。
【００３１】
さらに好ましくは、支持台２３が、第一の凹み部２３ａと第二の凹み部２３ｂとが対向して備えるため、第一の凹み部２３ａ，２３ｂが第一の脚部１５の下部、第二の脚部１６の下部を挟み込むことができ、支持台２３がフレーム部材１０を立建することができる。
【００３２】
本明細書に添付した図面に示された形態は、本考案を実施するための一形態を示すものであり、本考案の要旨を変更しない範囲で、適宜変更するものも含まれる。
【符号の説明】
【００３３】
１：装飾体
２：装飾本体部
３：取付部
４，５：マグネット
１０：フレーム部材
１１：フレーム部材の一端部
１２：隙間
１３：フレーム部材の他端部
１４：フレーム部材の本体部
１５：フレーム部材の第一の脚部
１６：フレーム部材の第二の脚部
１７：フレーム部材の連結部
１８：フレーム部材の台部
１９ａ，１９ｂ：フレーム部材の貫通穴
２０：取付部材
２０ａ：ボルト
２０ｂ：ナット
２１：第一のプレート部材
２２：第二のプレート部材
２３：支持台
２３ａ：第一の凹み部
２３ｂ：第二の凹み部
２３ｃ，２３ｄ：貫通穴
２４：基板
２４ａ：配線の端部を固定する部位
２４ｂ：内部配線としてのプリント配線
２５：テープライト部材
２５ａ：テープライト部材の一端部
２５ｂ：テープライト部材の他端部
２６：配線
２６ａ：配線の一端
２６ｂ：配線の他端
２７，２８：取付部材
２７ａ，２８ａ：ボルト
２７ｂ，２８ａ：ナット
２９：外部からの配線
【図１】
0003222285.tif 000003
【図２】
0003222285.tif 000004
【図３】
0003222285.tif 000005
【図４】
0003222285.tif 000006
【図５】
0003222285.tif 000007
【図６】
0003222285.tif 000008